【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】  印刷装置とネットワークモジュールが連携してネットワーク上の外部装置に対し印刷サービスを提供する印刷システムであって、
前記ネットワークモジュールは、前記外部装置が前記印刷システムを遠隔から操作するための操作画面が記述された表示データを前記外部装置に提供する提供手段と、
前記画面に表示可能な複数種類の言語のいずれかを選択する選択手段と、
前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークモジュール内から前記機器非依存データを取得するデータ獲得手段とを有し、
前記提供手段は、前記選択手段により選択された言語種類に基づいて、前記外部装置に前記表示データを提供することを特徴とする印刷システム。
【請求項２】  前記提供手段は、前記表示データをＨＴＴＰ（HyperText Transfer Protocol）を用いて前記外部装置に提供し、前記データ獲得手段は、前記外部装置から前記ＨＴＴＰで指定されたデータのＵＲＬ（Uniform Resource Locator）に基づき、前記指定されたデータが機器依存データの場合は前記印刷装置に対して前記機器依存データを要求し、前記指定されたデータが機器非依存データの場合は前記ネットワークモジュールが備えるデータベースから前記機器非依存データを取得することを特徴とする請求項１記載の印刷システム。
【請求項３】  前記印刷装置の前記機器情報とは、前記印刷装置に装着されるオプション機器に関する情報、または、前記オプション機器の給紙または排紙に関する情報を含むことを特徴とする請求項１又は２記載の印刷システム。
【請求項４】  前記データ獲得手段は、前記ＨＴＴＰで指定されたデータのＵＲＬに含まれるパスが特定のパスに合致するか否かに基づき、機器依存データか機器非依存データかを判別することを特徴とする請求項２記載の印刷システム。
【請求項５】  前記ネットワークモジュールは、機器依存データのパスのリストを有し、前記データ獲得手段は、前記ＨＴＴＰで指定されたデータのＵＲＬに含まれるパスが前記リストに含まれるパスと合致する場合、前記外部装置から要求された前記画面に必要なデータを機器依存データとして前記印刷装置に対し要求することを特徴とする請求項２記載の印刷システム。
【請求項６】  前記ネットワークモジュールは、機器非依存データのパスのリストを有し、前記データ獲得手段は、前記ＨＴＴＰで指定されたデータのＵＲＬに含まれるパスが前記リストに含まれるパスに合致しない場合、前記外部装置から要求された前記画面に必要なデータを機器依存データとして前記印刷装置に対し要求することを特徴とする請求項２記載の印刷システム。
【請求項７】  前記印刷装置は、前記印刷装置のオプション機器の電気的接続の有無を判断することで機器構成を特定する機器構成特定手段を有し、前記データ獲得手段は、前記外部装置からのビットマップ画像の転送要求に基づき、前記機器構成に応じたビットマップ画像を選択し、前記提供手段は、前記選択されたビットマップ画像を前記外部装置に提供することを特徴とする請求項１又は２記載の印刷システム。
【請求項８】  前記印刷装置は、前記印刷装置のオプション機器の電気的接続の有無を判断することで前記印刷装置の機器構成を特定する機器構成特定手段を有し、前記データ獲得手段は、前記外部装置からのＨＴＭＬ（HyperText Markup Language）データの転送要求に基づき、前記転送要求されたＨＴＭＬデータに対しＳＳＩ（Server Side Include）に基づくパーシング処理を行い、前記ＳＳＩの解釈条件として前記機器構成を取り入れ、前記機器構成に応じて異なるＨＴＭＬデータを選択して前記外部装置に送信することを特徴とする請求項１又は２記載の印刷システム。
【請求項９】  前記データ獲得手段は、前記外部装置からのＨＴＭＬデータの転送要求に基づき、前記転送要求されたＨＴＭＬデータに対しＳＳＩ（Server Side Include）に基づくパーシング処理を行い、前記ＳＳＩの解釈条件として前記印刷装置の内部状態を取り入れ、前記内部状態に応じて異なるＨＴＭＬデータを選択して前記外部装置に送信することを特徴とする請求項１又は２記載の印刷システム。
【請求項１０】  前記ネットワークモジュールは前記印刷装置に装着されるネットワークカードであることを特徴とする請求項１又は２記載の印刷システム。
【請求項１１】  更に、前記外部装置において前記画面で選択された言語を示す言語情報を保持する保持手段を備えることを特徴とする請求項１又は２記載の印刷システム。
【請求項１２】  前記選択手段は、前記印刷装置の仕向け地情報に基づいて前記複数種類の言語のいずれかを選択することを特徴とする、請求項１に記載の印刷システム。
【請求項１３】  前記印刷装置と前記ネットワークモジュールとは、個々にインテリジェントな形態として構成されると共に、前記ネットワークモジュールには、複数機種の印刷装置がそれぞれ接続可能であることを特徴とする請求項１〜１２の何れかに記載の印刷システム。
【請求項１４】  印刷装置に接続され、前記印刷装置と連携してネットワーク上の外部装置に対し印刷サービスを提供するネットワークインターフェース装置であって、
前記外部装置が前記印刷装置を遠隔から操作するための操作画面が記述された表示データを前記外部装置に提供する提供手段と、
前記画面に表示可能な複数種類の言語のいずれかを選択する選択手段と、
前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークインターフェース装置内から前記機器非依存データを前記外部装置へ提供するデータ獲得手段とを有し、
前記提供手段は、前記選択手段により選択された言語種類に基づいて、前記外部装置に前記表示データを提供することを特徴とするネットワークインターフェース装置。
【請求項１５】  前記提供手段は、前記表示データをＨＴＴＰ（HyperText Transfer Protocol）を用いて前記外部装置に提供し、前記データ獲得手段は、前記外部装置から前記ＨＴＴＰで指定されたデータのＵＲＬ（Uniform Resource Locator）に基づき、前記指定されたデータが機器依存データの場合は前記印刷装置に対して前記機器依存データを要求し、前記指定されたデータが機器非依存データの場合は前記ネットワークインターフェース装置が備えるデータベースから前記機器非依存データを取得することを特徴とする請求項１４記載のネットワークインターフェース装置。
【請求項１６】  前記印刷装置の前記機器情報とは、前記印刷装置に装着されるオプション機器に関する情報、または、前記オプション機器の給紙または排紙に関する情報を含むことを特徴とする請求項１４又は１５記載のネットワークインターフェース装置。
【請求項１７】  前記データ獲得手段は、前記ＨＴＴＰで指定されたデータのＵＲＬに含まれるパスが特定のパスに合致するか否かに基づき、機器依存データか機器非依存データかを判別することを特徴とする請求項１５記載のネットワークインターフェース装置。
【請求項１８】  機器依存データのパスのリストを有し、前記データ獲得手段は、前記ＨＴＴＰで指定されたデータのＵＲＬに含まれるパスが前記リストに含まれるパスと合致する場合、前記外部装置から要求された前記画面に必要なデータを機器依存データとして前記印刷装置に対し要求することを特徴とする請求項１５記載のネットワークインターフェース装置。
【請求項１９】  機器非依存データのパスのリストを有し、前記データ獲得手段は、前記ＨＴＴＰで指定されたデータのＵＲＬに含まれるパスが前記リストに含まれるパスに合致しない場合、前記外部装置から要求された前記画面に必要なデータを機器依存データとして前記印刷装置に対し要求することを特徴とする請求項１５記載のネットワークインターフェース装置。
【請求項２０】  前記データ獲得手段は、前記外部装置からのビットマップ画像の転送要求に基づき、前記印刷装置に対するオプション機器の電気的接続により特定された機器構成に応じたビットマップ画像を選択して前記外部装置に送信することを特徴とする請求項１４又は１５記載のネットワークインターフェース装置。
【請求項２１】  前記データ獲得手段は、前記外部装置からのＨＴＭＬ（HyperText Markup Language）データの転送要求に基づき、前記転送要求されたＨＴＭＬデータに対しＳＳＩ（Server Side Include）に基づくパーシング処理を行い、前記ＳＳＩの解釈条件として、前記印刷装置に対するオプション機器の電気的接続により特定された機器構成を取り入れ、前記機器構成に応じて異なるＨＴＭＬを選択して前記外部装置に送信することを特徴とする請求項１４又は１５記載のネットワークインターフェース装置。
【請求項２２】  前記データ獲得手段は、前記外部装置からのＨＴＭＬデータの転送要求に基づき、前記転送要求されたＨＴＭＬデータに対しＳＳＩ（Server Side Include）に基づくパーシング処理を行い、前記ＳＳＩの解釈条件として前記印刷装置の内部状態を取り入れ、前記内部状態に応じて異なるＨＴＭＬを選択して前記外部装置に送信することを特徴とする請求項１４又は１５記載のネットワークインターフェース装置。
【請求項２３】  前記ネットワークインターフェース装置は、前記印刷装置に装着されるネットワークカードであることを特徴とする請求項１４又は１５記載のネットワークインターフェース装置。
【請求項２４】  更に、前記外部装置において前記画面で選択された言語を示す言語情報を保持する保持手段を備えることを特徴とする請求項１４又は１５記載のネットワークインターフェース装置。
【請求項２５】  前記ネットワークモジュールと前記印刷装置とは、個々にインテリジェントな形態として構成されると共に、前記ネットワークモジュールには、複数機種の印刷装置がそれぞれ接続可能であることを特徴とする請求項１４〜２４の何れかに記載のネットワークインターフェース装置。
【請求項２６】  ネットワークモジュールと連携してネットワーク上の外部装置に対し印刷サービスを提供する印刷装置であって、
複数の言語に対応した前記印刷装置に依存する機器依存データを保持するデータ保持手段と、
前記ネットワークモジュールからの前記機器依存データの要求と、言語の種類を指定する情報とに基づき、前記指定された言語の種類に基づく前記要求された機器依存データを前記ネットワークモジュールに対して転送することを特徴とする印刷装置。
【請求項２７】  印刷装置本体のオプション機器の電気的接続の有無を判断することで機器構成を特定する機器構成特定手段を有することを特徴とする請求項２６に記載の印刷装置。
【請求項２８】  前記印刷装置の仕向け地情報を前記ネットワークモジュールに通知する通知手段を備えることを特徴とする請求項２６または２７の何れかに記載の印刷装置。
【請求項２９】  印刷装置とネットワークモジュールが連携してネットワーク上の外部装置に対し印刷サービスを提供する印刷システムで実行されるデータ提供方法であって、
前記ネットワークモジュールは、前記外部装置が前記印刷システムを遠隔から操作するための操作画面として表示可能な複数種類の言語のうちのいずれかを選択し、前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークモジュール内から前記機器非依存データを取得し、前記選択された言語種類に基づいて、前記外部装置に、前記画面が記述された表示データを提供することを特徴とするデータ提供方法。
【請求項３０】  印刷装置とネットワークモジュールが連携してネットワーク上の外部装置に対し印刷サービスを提供する印刷システムに適用されるデータ提供方法を実行するプログラムを記憶したコンピュータにより読み出し可能な記憶媒体であって、
前記データ提供方法は、前記外部装置が前記印刷システムを遠隔から操作するための操作画面として表示可能な複数種類の言語のうちのいずれかを選択するステップと、前記外部装置から要求された前記画面に必要なデータが前記印刷装置に依存する機器依存データの場合は前記印刷装置に対して前記機器依存データを要求するステップと、前記外部装置から要求された前記画面に必要なデータが前記印刷装置に依存しない機器非依存データの場合は前記ネットワークモジュール内から前記機器非依存データを取得するステップと、前記選択された言語種類に基づいて、前記外部装置に、前記画面が記述された表示データを提供するステップとを有することを特徴とする記憶媒体。
【手続補正２】
【補正対象書類名】明細書
【補正対象項目名】００１３
【補正方法】変更
【補正の内容】
【００１３】
【課題を解決するための手段】
上記目的を達成するため、本発明は、印刷装置とネットワークモジュールが連携してネットワーク上の外部装置に対し印刷サービスを提供する印刷システムであって、前記ネットワークモジュールは、前記外部装置が前記印刷システムを遠隔から操作するための操作画面が記述された表示データを前記外部装置に提供する提供手段と、前記画面に表示可能な複数種類の言語のいずれかを選択する選択手段と、前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークモジュール内から前記機器非依存データを取得するデータ獲得手段とを有し、前記提供手段は、前記選択手段により選択された言語種類に基づいて、前記外部装置に前記表示データを提供することを特徴とする。
【手続補正３】
【補正対象書類名】明細書
【補正対象項目名】００１４
【補正方法】変更
【補正の内容】
【００１４】
上記目的を達成するため、本発明は、印刷装置に接続され、前記印刷装置と連携してネットワーク上の外部装置に対し印刷サービスを提供するネットワークインターフェース装置であって、前記外部装置が前記印刷装置を遠隔から操作するための操作画面が記述された表示データを前記外部装置に提供する提供手段と、前記画面に表示可能な複数種類の言語のいずれかを選択する選択手段と、前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークインターフェース装置内から前記機器非依存データを前記外部装置へ提供するデータ獲得手段とを有し、前記提供手段は、前記選択手段により選択された言語種類に基づいて、前記外部装置に前記表示データを提供することを特徴とする。
【手続補正４】
【補正対象書類名】明細書
【補正対象項目名】００１５
【補正方法】変更
【補正の内容】
【００１５】
上記目的を達成するため、本発明は、ネットワークモジュールと連携してネットワーク上の外部装置に対し印刷サービスを提供する印刷装置であって、複数の言語に対応した前記印刷装置に依存する機器依存データを保持するデータ保持手段と、前記ネットワークモジュールからの前記機器依存データの要求と、言語の種類を指定する情報とに基づき、前記指定された言語の種類に基づく前記要求された機器依存データを前記ネットワークモジュールに対して転送することを特徴とする。
【手続補正５】
【補正対象書類名】明細書
【補正対象項目名】００１６
【補正方法】変更
【補正の内容】
【００１６】
上記目的を達成するため、本発明は、印刷装置とネットワークモジュールが連携してネットワーク上の外部装置に対し印刷サービスを提供する印刷システムで実行されるデータ提供方法であって、前記ネットワークモジュールは、前記外部装置が前記印刷システムを遠隔から操作するための操作画面として表示可能な複数種類の言語のうちのいずれかを選択し、前記外部装置から要求された前記画面に必要なデータが前記印刷装置に依存する機器依存データの場合は前記印刷装置に対して前記機器依存データを要求し、前記外部装置から要求された前記画面に必要なデータが前記印刷装置に依存しない機器非依存データの場合は前記ネットワークモジュール内から前記機器非依存データを取得し、前記選択された言語種類に基づいて、前記外部装置に、前記画面が記述された表示データを提供することを特徴とする。
【手続補正６】
【補正対象書類名】明細書
【補正対象項目名】００１７
【補正方法】変更
【補正の内容】
【００１７】
上記目的を達成するため、本発明は、印刷装置とネットワークモジュールが連携してネットワーク上の外部装置に対し印刷サービスを提供する印刷システムに適用されるデータ提供方法を実行するプログラムを記憶したコンピュータにより読み出し可能な記憶媒体であって、前記データ提供方法は、前記外部装置が前記印刷システムを遠隔から操作するための操作画面として表示可能な複数種類の言語のうちのいずれかを選択するステップと、前記外部装置から要求された前記画面に必要なデータが前記印刷装置に依存する機器依存データの場合は前記印刷装置に対して前記機器依存データを要求するステップと、前記外部装置から要求された前記画面に必要なデータが前記印刷装置に依存しない機器非依存データの場合は前記ネットワークモジュール内から前記機器非依存データを取得するステップと、前記選択された言語種類に基づいて、前記外部装置に、前記画面が記述された表示データを提供するステップとを有することを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】
【手続補正５０】
【補正対象書類名】明細書
【補正対象項目名】００６１
【補正方法】削除
【補正の内容】
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】削除
【補正の内容】
【手続補正５３】
【補正対象書類名】明細書
【補正対象項目名】００６４
【補正方法】削除
【補正の内容】
【手続補正５４】
【補正対象書類名】明細書
【補正対象項目名】００６５
【補正方法】削除
【補正の内容】
【手続補正５５】
【補正対象書類名】明細書
【補正対象項目名】００６６
【補正方法】削除
【補正の内容】
【手続補正５６】
【補正対象書類名】明細書
【補正対象項目名】００６７
【補正方法】削除
【補正の内容】
【手続補正５７】
【補正対象書類名】明細書
【補正対象項目名】００６８
【補正方法】削除
【補正の内容】
【手続補正５８】
【補正対象書類名】明細書
【補正対象項目名】００６９
【補正方法】削除
【補正の内容】
【手続補正５９】
【補正対象書類名】明細書
【補正対象項目名】００７０
【補正方法】削除
【補正の内容】
【手続補正６０】
【補正対象書類名】明細書
【補正対象項目名】００７１
【補正方法】削除
【補正の内容】
【手続補正６１】
【補正対象書類名】明細書
【補正対象項目名】００７２
【補正方法】削除
【補正の内容】
【手続補正６２】
【補正対象書類名】明細書
【補正対象項目名】００７３
【補正方法】削除
【補正の内容】
【手続補正６３】
【補正対象書類名】明細書
【補正対象項目名】００７４
【補正方法】削除
【補正の内容】
【手続補正６４】
【補正対象書類名】明細書
【補正対象項目名】００７５
【補正方法】削除
【補正の内容】
【手続補正６５】
【補正対象書類名】明細書
【補正対象項目名】００７６
【補正方法】削除
【補正の内容】
【手続補正６６】
【補正対象書類名】明細書
【補正対象項目名】００７７
【補正方法】削除
【補正の内容】
【手続補正６７】
【補正対象書類名】明細書
【補正対象項目名】００７８
【補正方法】削除
【補正の内容】
【手続補正６８】
【補正対象書類名】明細書
【補正対象項目名】０１８４
【補正方法】変更
【補正の内容】
【０１８４】
【発明の効果】
以上説明したように、本発明の印刷システムによれば、外部装置から指定されたデータが印刷装置に依存する機器依存データの場合は印刷装置に対して機器依存データを要求して外部装置へ提供し、印刷装置に依存しない機器非依存データの場合はネットワークモジュールのデータベースから機器非依存データを取得して外部装置へ提供するため、ネットワークモジュールに接続される可能性のある全ての印刷装置のモデルについて、データをネットワークモジュールに持たせる必要がなく、ネットワークモジュールの容量コストを削減することが可能となる。
【手続補正６９】
【補正対象書類名】明細書
【補正対象項目名】０１８６
【補正方法】変更
【補正の内容】
【０１８６】
印刷装置の立場からみると、ネットワークモジュールが不要な場合、要求された印刷装置の状態をＨＴＴＰを使用して送受信する手段、及び機器非依存なデータを格納する手段をネットワークモジュールに追い出すことにより、コストアップを抑えることが可能となる。
【手続補正７０】
【補正対象書類名】明細書
【補正対象項目名】０１８７
【補正方法】変更
【補正の内容】
【０１８７】
また、本発明の印刷システムによれば、ＨＴＴＰで指定されたデータのＵＲＬに含まれるパスがリストに含まれるパスと合致する場合、外部装置から要求された画面に必要なデータを機器依存データとして印刷装置に対し要求する、或いはリストに含まれるパスに合致しない場合、外部装置から要求された画面に必要なデータを機器依存データとして印刷装置に対し要求するため、データを、ＵＲＬやパスに関係なく、機器依存なデータ、機器非依存なデータに設定することが可能となる。
【手続補正７１】
【補正対象書類名】明細書
【補正対象項目名】０１９１
【補正方法】変更
【補正の内容】
【０１９１】
また、本発明の印刷システムによれば、機器依存データの言語情報に基づき、印刷装置に機器依存データの要求を出し、機器依存データを取得するため、単一のネットワークモジュール製品での複数の言語に対応したＷＷＷサービスを提供することが可能となる。
【手続補正７２】
【補正対象書類名】明細書
【補正対象項目名】０１９２
【補正方法】変更
【補正の内容】
【０１９２】
また、本発明の印刷システムによれば、印刷装置が何処の市場向けかを示す仕向け地情報に基づき、印刷装置に機器依存データの要求を出し、機器依存データを取得するため、単一のネットワークモジュール製品での複数の言語に対応したＷＷＷサービスを提供することが可能となる。